(57)【要約】【課題】  ２枚捲りを防止するために頁捲りローラの回転速度を遅くすると処理時間が増加する。特許文献１に記載の頁捲り装置は、通帳の全頁に対して頁捲りローラの回転速度を遅くしているため、不要な処理時間の増加を招く可能性があった。【解決手段】  通帳の頁捲りにおいて２枚捲りを発生しやすい頁を特定し、当該頁において頁捲りを行うときのみ頁捲りローラの回転速度を遅くする。２枚捲りを発生しやすい頁を特定するために、通帳の磁気ストライプや頁バーコードに通帳の中紙枚数の情報を持たせる。通帳挿入時に磁気ストライプや頁バーコードに記録された中紙枚数の情報を読取り、頁捲りを行うときに中紙枚数に応じて特定された２枚捲りを発生しやすい頁であれば、頁捲りローラの回転速度を遅くして２枚捲りの発生を抑えることが可能である。【選択図】  図８
2010194838.tif 000002
【特許請求の範囲】
【請求項１】
通帳の挿入を行う挿入口と、通帳を所定の位置に搬送する搬送ローラおよび搬送路と、通帳に印字された情報を読取る光学読取り機構と、通帳の磁気ストライプに記録された情報を読み書きする磁気ストライプ読み書き機構と、通帳に印字を行う印字機構と、頁捲りローラで通帳の頁捲りを行う頁捲り機構と、各機構を制御する制御機構と、を備えた通帳類取扱い装置において、
前記制御機構は、
前記光学読取り機構を介して通帳の開かれている頁を示す第一の頁番号を取得し、
前記磁気ストライプ読書き機構を介して印字する頁を示す第二の頁番号を取得し、
前記光学読取り機構もしくは前記磁気ストライプ読み書き機構を介して通帳中紙の枚数を取得し、
前記第一の頁番号と前記第二の頁番号とが一致する場合、前記印字機構を介して印字を行い、
前記第一の頁番号と前記第二の頁番号とが一致せず、かつ中紙枚数から算出された２枚捲りが発生しやすい第三の頁番号と前記第一の頁番号とが一致しない場合、前記頁捲りローラを第一の回転速度にて頁捲りを行い、
前記第一の頁番号と前記第二の頁番号とが一致せず、かつ前記第三の頁番号と前記第一の頁番号とが一致する場合、前記頁捲りローラを前記第一の回転速度より遅い第二の回転速度にて頁捲りを行うことを特徴とする通帳類取扱い装置。
【請求項２】
請求項１に記載された通帳類取扱い装置であって、
前記第一の頁番号と前記第二の頁番号とが一致しない場合、
前記制御機構は、
前記頁捲りローラによって頁捲りを行った後に、開かれた頁の頁番号と前記第二の頁番号との両者が一致する場合は、前記印字機構を介して印字を行い、
一致しない場合は、前記両者が一致するまで頁捲りを繰り返すことを特徴とする通帳類取扱い装置。
【請求項３】
請求項１あるいは請求項２に記載された通帳類取扱い装置であって、
前記制御機構は、
前記印字機構を介して一取引分の印字を行い、
未記帳の取引データが無い場合、前記磁気ストライプ読み書き機構を介して前記磁気ストライプに前記第二の頁番号を書き込み、さらに搬送ローラを制御して通帳を前記挿入口に搬送することを特徴とする通帳類取扱い装置。
【請求項４】
請求項１〜請求項３のいずれか一つに記載された通帳類取扱い装置であって、
未記帳の取引データがある場合、
前記制御機構は、
前記印字する頁の最終行まで印字されていない場合、前記印字機構を介して未記帳の取引データのうち、一取引分の印字を行い、
前記印字する頁の最終行まで印字されている場合、前記磁気ストライプ読み書き機構を介して、新たに印字する頁の頁番号を前記第二の頁番号として前記磁気ストライプに書き込み、前記頁捲りローラによって頁捲りを行うことを特徴とする通帳類取扱い装置。
【請求項５】
請求項１〜４のいずれか一つに記載された通帳類取扱い装置であって、
前記制御機構は、
前記頁捲りローラを前記頁捲りローラが前記通帳に接触するための回転量だけ前記第一の回転速度にて回転させた後に、前記第二の回転速度にて頁捲りを行うことを特徴とする通帳類取扱い装置。
【発明の詳細な説明】
【技術分野】
【０００１】
本発明は銀行等で使用する現金自動取引装置（ＡＴＭ）の通帳印字装置に関する発明である。
【背景技術】
【０００２】
ＡＴＭにおいて通帳を使用する場合、利用者は通帳の印字すべき頁を開いて挿入するが、印字すべき頁以外を開いて挿入したときは、頁捲りローラによって通帳の頁を捲り印字すべき頁を開く必要がある。また、頁の最終行まで印字が終了したときは、頁捲りローラによって通帳の頁を捲り次の頁に引き続き印字を行う。上記のように通帳の頁を捲る必要が生じたとき、誤って通帳の頁を２枚同時に捲る場合がある（以下、「２枚捲り」とする）。２枚捲りが発生したときは、正しい頁にするために逆方向に頁捲りを行う必要があり、通帳処理の時間が増えてしまう。
【０００３】
２枚捲りの発生を抑えることを可能とした従来技術として、特許文献１には頁捲りローラが通帳の頁に接触してから頁捲りが完了するまでの間は頁捲りローラの回転速度を遅くする頁捲り装置について記載されている。
【先行技術文献】
【特許文献】
【０００４】
【特許文献１】特開２００２−２２５４５９号公報
【発明の概要】
【発明が解決しようとする課題】
【０００５】
２枚捲りを防止するために頁捲りローラの回転速度を遅くすると処理時間が増加する。特許文献１に記載の頁捲り装置は、通帳の全頁に対して頁捲りローラの回転速度を遅くしているため、不要な処理時間の増加を招く可能性があった。
【課題を解決するための手段】
【０００６】
本発明は、通帳の頁捲りにおいて２枚捲りを発生しやすい頁を特定し、当該頁において頁捲りを行うときのみ頁捲りローラの回転速度を遅くする。２枚捲りを発生しやすい頁を特定するために、通帳の磁気ストライプや頁バーコードに通帳の中紙枚数の情報を持たせる。通帳挿入時に磁気ストライプや頁バーコードに記録された中紙枚数の情報を読取り、頁捲りを行うときに中紙枚数に応じて特定された２枚捲りを発生しやすい頁であれば、頁捲りローラの回転速度を遅くして２枚捲りの発生を抑えることが可能である。
【発明の効果】
【０００７】
本発明によれば、頁バーコードおよび磁気ストライプに２枚捲りを発生しやすい頁に関する情報を持たせることで、２枚捲りを発生しやすい頁で頁捲りを行うときに頁捲りローラの回転速度を遅くして２枚捲りの防止を図ることができる。
【図面の簡単な説明】
【０００８】
【図１】通帳類取扱い装置の側面図である。
【図２】通帳類取扱い装置のブロック図である。
【図３】綴じ目を対称にして開かれた通帳を横から見た図、および通帳の製造過程を示した図である。
【図４】順頁捲りにおける頁捲りの動作を示した図である。
【図５】逆頁捲りにおける頁捲りの動作を示した図である。
【図６】通帳中紙の性質によって通帳の２枚捲りを発生しやすい頁を示した図である。
【図７】表面処理によって通帳の２枚捲りを発生しやすい頁を示した図である。
【図８】実施例１において通帳処理および頁捲りの動作を示したフローチャートである。
【図９（ａ）】実施例２において通帳処理の動作を示したフローチャートである。
【図９（ｂ）】実施例２において頁捲りの動作を示したフローチャートである。
【図１０】中紙枚数と２枚捲りを発生しやすい頁とを関連付けたテーブルである。
【発明を実施するための形態】
【実施例１】
【０００９】
本発明の第１の実施例について詳細に説明する。
図１は通帳類取扱い装置の側面図である。１は利用者の通帳を挿入する挿入口、２は通帳の搬送を行う搬送ローラ、３は通帳が搬送される搬送路、４は通帳の各頁に印刷された頁バーコードの読取を行う光学読取り機構、５は通帳の磁気ストライプの読取および磁気ストライプへの書込を行う磁気ストライプ読み書き機構、６は通帳に印字を行う印字機構、７は通帳の頁捲りを行う頁捲り機構である。頁捲り機構７は頁捲りローラ８を有し、通帳の頁と接した頁捲りローラ８が回転することで頁捲りが行われる。
【００１０】
図２は通帳印字機構のブロック図である。搬送ローラ２、光学読取り機構４、磁気ストライプ読み書き機構５、印字機構６、および頁捲り機構７はそれぞれ制御機構９によって制御される。また、印字機構６はメモリ１０を有しており、通帳中紙枚数、開かれている頁、および取引頁に関する情報を格納することができる。なお、本実施例ではメモリ１０は印字機構６の内部に設けられているが、通帳類取扱い装置内であれば印字機構６の内部である必要はなく、印字機構６とは別途に設けても良い。
【００１１】
図３は綴じ目を対称にして開かれた通帳を横から見た図であり、本発明の理解を容易とするために通帳の製造過程も示している。通帳は（１）中紙および表紙１１（表紙１１は表表紙１１ａと裏表紙１１ｂとから構成される）と貼り合わせる紙を重ねて綴じ合わせ、（２）上記表紙１１と貼り合わせる紙および表紙１１を貼り合わせることで製本を行う。上記（１）において、各中紙は表面と裏面が同じ方向を向くように綴じ合せている。なお、本発明において、頁数とは通帳が開かれた状態を１単位とし、表表紙１１ａから順頁方向に１頁捲った状態（表見返し頁１２）を０頁目、表見返し頁１２から１頁捲った状態を１頁目、と定義する。表見返し頁１２には顧客の氏名および口座番号などが印字され、取引データは印字されないために０頁目とする。したがって、中紙枚数をｎ枚とした場合、通帳の中央の頁１３はｎ頁目、裏表紙１１ｂから逆頁方向に１頁捲った状態（裏見返し頁１４）は２ｎ頁目となる。したがって、通帳の中央の頁は同一の中紙の表面同士から構成されるが、他の頁は中紙の表面と隣接する中紙の裏面から構成される。
【００１２】
図４および図５は頁捲りの動作を示したものである（図４は頁数が増加する方向に捲る場合（順頁捲り）、図５は頁数が減少する方向に捲る場合（逆頁捲り）を示す）。頁捲りの一連の動作は、（１）通帳を所定の位置に搬送後に制御機構９によって頁捲りローラ８の回転を開始させ、（２）頁捲りローラ８が通帳中紙１５に接触し、（３）頁捲りローラ８が通帳中紙１５を捲り上げ、（４）通帳中紙１５が頁捲りローラ８の上側になった状態で、（５）制御機構９によって通帳を搬送させることによって行われる。
【００１３】
頁捲りを行う頁（頁捲りローラ８と接触する頁。以下、捲り頁とする）の次頁を構成する２枚の紙間の摩擦係数が、捲り頁の次々頁を構成する２枚の紙間の摩擦係数より大きいと、図４（あるいは図５）（３）のときに捲り頁の次頁を構成する２枚の紙間は離れにくく、捲り頁の次々頁を構成する２枚の紙間は離れやすい。したがって、捲り頁と捲り頁の次頁とが同時に頁捲りローラ８によって捲り上げられやすい。
【００１４】
しかし、図４（あるいは図５）（３）において捲り頁と捲り頁の次頁とが同時に捲り上げられたとしても、図４（あるいは図５）（４）の状態になるまでに捲り頁と捲り頁の次頁とが離れた場合は２枚捲りを発生しない。捲り上げられた捲り頁の次頁には通帳中紙自体の弾性力が働いて捲り頁から離れようとするが、頁捲りローラ８の回転速度が遅い場合はその弾性力が充分に作用することによって、図４（あるいは図５）（４）の状態になる前に捲り頁の次頁は捲り頁から離れる。したがって、頁捲りローラ８の回転速度を遅くすることによって２枚捲りの発生を抑えることができる。
【００１５】
図６および図７は、中紙枚数をｎ枚とした場合に２枚捲りを発生しやすい頁について示したものである。
【００１６】
図６（ａ）は、順頁捲りによって（ｎ−２）頁目から（ｎ−１）頁目へ捲る場合を示した図である。通帳の中央の頁１３（ｎ頁目）は同一の中紙の表面同士から構成される。一方、（ｎ−１）頁目は中紙の表面と隣接する中紙の裏面から構成される。中紙の表面と裏面とを比較すると表面の方が滑らかであるため、通帳の中央の頁１３を構成する同一中紙の表面同士間の摩擦係数μｎは、（ｎ−１）頁目を構成する２枚の中紙間の摩擦係数μｎ−１より小さくなる。したがってμｎ−１＞μｎとなり、２枚捲りを発生しやすい。
【００１７】
図６（ｂ）は、逆頁捲りによって（ｎ＋２）頁目から（ｎ＋１）頁目へ捲る場合を示した図である。図６（ａ）と同様に、通帳の中央の頁１３（ｎ頁目）は同一の中紙の表面同士から構成されるが、（ｎ＋１）頁目は中紙の表面と隣接する中紙の裏面から構成される。したがって、通帳の中央の頁１３を構成する同一中紙の表面同士間の摩擦係数μｎは、（ｎ＋１）頁目を構成する２枚の中紙間の摩擦係数μｎ＋１より小さくなり（μｎ＋１＞μｎ）、２枚捲りを発生しやすい。
【００１８】
図７（ａ）は、順頁捲りによって（２ｎ−２）頁目から（２ｎ−１）頁目へ捲る場合を示した図である。裏見返し頁１４はＯＰニス（オーバープリントニス）のように紙面に光沢を持たせて見栄えを良くする表面処理を行う。この処理によって、裏見返し頁１４（２ｎ頁目）を構成する２枚の紙間の摩擦係数μ２ｎが小さくなる。したがって、（２ｎ−１）頁目を構成する２枚の中紙間の摩擦係数μ２ｎ−１と裏見返し頁１４（２ｎ頁目）を構成する２枚の紙間の摩擦係数μ２ｎとを比較するとμ２ｎ−１＞μ２ｎであるため２枚捲りを発生しやすい。
【００１９】
図７（ｂ）は、逆頁捲りによって２頁目から１頁目へ捲る場合を示した図である。上記表面処理は表見返し頁１２においても行うため、表見返し頁１２（０頁目）を構成する２枚の紙間の摩擦係数μ０は小さくなる。したがって、１頁目を構成する２枚の中紙間の摩擦係数μ１と表見返し頁１２（０頁目）を構成する２枚の紙間の摩擦係数μ０とを比較するとμ１＞μ０であるため２枚捲りを発生しやすい。
【００２０】
以上のように、事前に２枚捲りが発生しやすい頁を特定することができれば、当該頁を捲るときのみ頁捲りローラの回転速度を遅くすれば良い。
【００２１】
以下、本実施例における通帳処理について図８（ａ）および図８（ｂ）記載のフローチャートに示す。
【００２２】
制御機構９は、搬送ローラ２の回転を制御して通帳を搬送路３に送る。その後、光学読取り機構４を介して通帳の頁バーコードを読取り（ステップＳ１０）、次に磁気ストライプ読み書き機構５を介して磁気ストライプを読取る（ステップＳ２０）。読取られた頁バーコードから開かれている頁の頁番号ｐ１をメモリ１０に記憶し、読取られた磁気ストライプから、印字を行う頁（以下、取引頁とする）の頁番号ｐ２と中紙枚数ｎとをメモリ１０に記憶する（ステップＳ３０）。なお、本実施例では中紙枚数ｎは磁気ストライプに記録されているが、頁バーコードに印刷されていても良い。次にメモリ１０に記憶されたｐ１とｐ２とが一致するか否かを判断する（ステップＳ４０）。ｐ１とｐ２とが一致していない場合、通帳を頁捲り機構７の位置まで搬送して頁捲りを行うが、頁捲りの方向は開かれている頁と取引頁との前後関係によって判断される（ステップＳ４１）。すなわち、ｐ１がｐ２より小さければ順頁捲りを行い、ｐ１がｐ２よりも大きければ逆頁捲りを行う。頁捲り終了後、ｐ１とｐ２とが一致するまでステップＳ１０の処理を繰り返す。
【００２３】
ステップＳ４０においてｐ１とｐ２とが一致していると判断された後、制御機構９は印字機構６によって取引頁に印字を行い（ステップＳ５０）、１取引のデータを印字する毎に印字データが残っているかを判断する（ステップＳ６０）。印字データが残っている場合、制御機構９は光学読取り機構４によって取引頁の最終行まで印字されたか否かを判断する（ステップＳ６１）。取引頁の最終行まで印字された場合、取引頁は次の頁になるため、磁気ストライプに記録された取引頁の頁番号ｐ２を書き換える（ステップＳ６２）。その後、制御機構９は次の頁に印字するために通帳を頁捲り機構７の位置まで搬送して順頁捲りを行い、印字機構６によって残りの印字データの印字を行う（ステップＳ５０）。
【００２４】
ステップＳ６０において全てのデータを印字したと判断された場合、制御機構９は磁気ストライプ読み書き機構５を介して磁気ストライプに取引頁の頁番号を書込む（ステップＳ７０）。その後、搬送ローラ２の回転を制御して通帳を挿入口１に送ることで、利用者に通帳を返却する（ステップＳ８０）。
【００２５】
ステップＳ４１あるいはステップＳ６２の次のステップとして頁捲りを行うとき（図８（ａ）のＢあるいはＣに相当）、制御機構９は印字機構６内のメモリ１０に記録された中紙枚数ｎを参照して、取引頁が２枚捲りを発生しやすい頁であるか否かを判断する（ステップＳＢ０、ステップＳＣ０）。順頁捲りの場合（ステップＳＢ０）に２枚捲りを発生しやすい頁は（ｎ−２）頁目と（２ｎ−２）頁目となり、逆頁捲りの場合（ステップＳＣ０）に２枚捲りを発生しやすい頁は２頁目と（ｎ＋２）頁目となる。取引頁が２枚捲りを発生しやすい頁でない場合、制御機構９は頁捲りローラ８の回転速度を変えずに頁捲りを行う（ステップＳＢ１、ステップＳＣ１）。一方、取引頁が２枚捲りを発生しやすい頁である場合、制御機構９は頁捲りローラ８の回転速度を遅くして頁捲りを行う（ステップＳＢ２、ステップＳＣ２）。頁捲りの終了後、ステップＳ１０からステップＳ４０の処理を行い、ｐ１と書き換えられたｐ２とが一致している場合は残りの印字データの印字を行う。
【００２６】
なお、上述した２枚捲りを防止するために頁捲りローラ８の回転速度を遅くするときは、図４（または図５）の（１）〜（５）における一連の全ての段階において回転速度を例えば通常時の５０％程度にすればよい。また、さらに処理時間を短くするために図４（または図５）の（１）〜（５）のうち一部だけ遅くすることもできる。この場合、事前にどの位回転すると接触するかをメモリ１０内に記憶しており、接触するまでは頁捲りローラ８の回転速度は通常として、接触後は頁捲りローラ８の回転速度を遅くさせる。
【００２７】
また、２枚捲りを発生しやすい要因により、２枚捲りを発生しやすい頁の中でも発生しやすさが異なることがある。図６に記載の場合は、通帳中紙の性質によって通帳の２枚捲りが発生しやすい。一方、図７に記載の場合は、表面処理によって通帳の２枚捲りが発生しやすい。したがって、図６に記載の場合と図７に記載の場合とでは２枚捲りの発生しやすさが異なり、この発生しやすさに応じて回転速度を遅くする割合を変えても良い。
【実施例２】
【００２８】
取引頁の最終行まで印字されて順頁捲りを行うときに、実施例１では磁気ストライプに記録された取引頁の頁番号を書き換えるが、本実施例ではメモリ１０内に記憶された取引頁の頁番号をインクリメントする。本実施例は実施例１に比べ、磁気ストライプへの読み書きを行う回数を減らすことで更なる処理時間の短縮が可能になる。
【００２９】
以下、本実施例における通帳処理について図９（ａ）および図９（ｂ）記載のフローチャートに示す。
【００３０】
通帳挿入時から、ステップＳ４０において開かれている頁の頁番号ｐ１と取引頁の頁番号ｐ２とが一致するか否かを判断し、一致していない場合は順頁捲りあるいは逆頁捲りを行う処理は実施例１と同様である（ステップＳ１０〜ステップＳ４０、ステップＳ４１）。しかし、頁捲り終了後、ｐ１とｐ２とが一致するまでステップＳ４０およびステップＳ４１の処理を繰り返す点において実施例１とは異なる。
【００３１】
ステップＳ４０においてｐ１とｐ２とが一致していると判断された後、制御機構９は印字機構６によって取引頁に印字を行う（ステップＳ５０）。１取引のデータを印字する毎に印字データが残っているかを判断する（ステップＳ６０）。印字データが残っている場合、制御機構９は光学読取り機構４によって取引頁の最終行まで印字されたか否かを判断する（ステップＳ６１）。取引頁の最終行まで印字された場合、取引頁は次の頁になるため、メモリ１０に記憶された取引頁の頁番号ｐ２をインクリメントする（ステップＳ６３）。その後、制御機構９は次の頁に印字するために通帳を頁捲り機構７の位置まで搬送して順頁捲りを行い、印字機構６によって残りの印字データの印字を行う（ステップＳ５０）。
【００３２】
ステップＳ６０において全てのデータを印字したと判断されてから利用者に通帳を返却するまでの処理は実施例１と同様である（ステップＳ６０〜ステップＳ８０）。
【００３３】
ステップＳ４１あるいはステップＳ６３の次のステップとして頁捲りを行った後（ステップＳＢ０〜ステップＳＢ２、ステップＳＣ０〜ステップＳＣ２）、制御機構９は光学読取り機構４を介して通帳の頁バーコードを読取り、開かれている頁の頁番号ｐ１をメモリ１０に記憶する（ステップＳＢ３、ステップＳＣ３）。ｐ１と取引頁の頁番号ｐ２とが一致するか否かを再度判断し（ステップＳ４０）、一致している場合は残りの印字データの印字を行う。
【実施例３】
【００３４】
実施例１あるいは実施例２において、図１０記載のように中紙枚数ｎと２枚捲りを発生しやすい頁とを関連付けたテーブルをメモリ１０に予め記憶させることも可能である。例として、図１０に中紙枚数が２〜７枚のときに２枚捲りを発生しやすい頁を表したテーブルを示す。
【００３５】
本実施例における通帳処理は、実施例１あるいは実施例２の場合と同様に図８（ａ）および図８（ｂ）記載（あるいは図９（ａ）および図９（ｂ）記載）のフローチャートの通りである。しかし、ステップＳＢ０（あるいはステップＳＣ０）において取引頁が２枚捲りを発生しやすい頁であるか否か判断する際に、メモリ１０に記憶されたテーブルを参照する点において実施例１あるいは実施例２とは異なる。
【００３６】
例えば、中紙枚数ｎが７枚であって順頁捲りを行うとき、実施例１あるいは実施例２の場合は制御機構９においてｎ−２＝７−２＝５、２ｎ−２＝２×７−２＝１２と算出することで、２枚捲りを発生しやすい頁は５頁目と１２頁目であると判断される。一方、本実施例の場合はメモリ１０に記憶されたテーブルに、中紙枚数ｎが７枚であって順頁捲りを行うときに２枚捲りを発生しやすい頁は５頁目と１２頁目であることが予め記憶されている。したがって、制御機構９は上記テーブルを参照することによって、実施例１あるいは実施例２のように２枚捲りを発生しやすい頁を算出することが不要となる。
【符号の説明】
【００３７】
１ 挿入口
２ 搬送ローラ
３ 搬送路
４ 光学読取機構
５ 磁気ストライプ読み書き機構
６ 印字機構
７ 頁捲り機構
８ 頁捲りローラ
９ 制御機構
１０ メモリ
１１ 通帳表紙
１２ 通帳の表見返し頁
１３ 通帳の中央頁
１４ 通帳の裏見返し頁
１５ 通帳中紙
【図１】
2010194838.tif 000003
【図２】
2010194838.tif 000004
【図３】
2010194838.tif 000005
【図４】
2010194838.tif 000006
【図５】
2010194838.tif 000007
【図６】
2010194838.tif 000008
【図７】
2010194838.tif 000009
【図８】
2010194838.tif 000010
【図９（ａ）】
2010194838.tif 000011
【図９（ｂ）】
2010194838.tif 000012
【図１０】
2010194838.tif 000013